(57)【要約】【課題】第一電極が短絡する虞が少ない有機ＥＬパネルを提供する。【解決手段】有機ＥＬパネル２１は、ストライプ状に形成された第一電極２４ｂと絶縁層２５と有機層２６と第二電極２７とを有する積層体２３を基板２２に形成したものである。有機層２６が設けられていない領域の少なくとも第一電極２４ｂ間と第一電極２４ｂの間に、第一電極２４ｂが短絡することを防ぐ絶縁材料からならなる短絡防止部２８ｂを設ける。短絡防止部２８ｂは、絶縁層２５上に形成されている。短絡防止部２８ｂは、第二電極２７を分断する壁部である。【選択図】  図１
2004152642.tif 000002
【特許請求の範囲】
【請求項１】
ストライプ状に形成された複数の第一電極と絶縁層と有機層と第二電極とを有する積層体を基板に形成したドットマトリクス型の有機ＥＬパネルであって、
前記有機層が設けられていない領域の少なくとも前記第一電極と前記第一電極の間に、前記第一電極が短絡することを防ぐ絶縁材料からなる短絡防止部を設けたことを特徴とする有機ＥＬパネル。
【請求項２】
前記短絡防止部は、前記絶縁層上に形成されていることを特徴とする請求項１に記載の有機ＥＬパネル。
【請求項３】
前記短絡防止部は、前記第一電極に平行な方向に形成され前記第二電極を分断する線状壁部であることを特徴とする請求項１に記載の有機ＥＬパネル。
【請求項４】
前記第一の電極に直交する方向に形成され前記第二電極を分断するリブ部を有することを特徴とする請求項１に記載の有機ＥＬパネル。
【請求項５】
前記短絡防止部と前記リブ部は同じ材料からなることを特徴とする請求項４に記載の有機ＥＬパネル。
【発明の詳細な説明】
【０００１】
【発明の属する技術分野】
本発明は、第一電極と第二電極の間に少なくとも発光層を有する有機層を挟持した積層体を基板に形成した有機ＥＬパネルに関するものであり、特にマトリクス状に配置された発光部を有する有機ＥＬパネルに関するものである。
【０００２】
【従来の技術】
従来より、有機ＥＬパネルが種々提案されており、例えば特許文献１に開示されている。有機ＥＬパネル１は、ガラス基板２上に積層体３を形成したものであり、この積層体３は、透明電極４，絶縁層５，有機層６，背面電極７を有する（図８参照）。有機層６は正孔注入層，正孔輸送層，発光層及び電子輸送層からなるものであり、透明電極４と背面電極７に挟持されている。積層体３は封止ガラス８に覆われており、この封止ガラス８はガラス基板２に接着剤９により接着されている。
【０００３】
透明電極４は、陰極端子部４ａ及び陽極部４ｂを有している。背面電極７は、陰極端子部４ａに一部重なるように形成されており、陰極端子部４ａと電気的に導通している。有機ＥＬパネル１は、陽極部４ｂと陰極端子部４ａに電源を接続することにより発光部Ｐが光輝する。
【０００４】
【特許文献１】
特開２００１−２６７０６６号公報
【０００５】
図９乃至図１２は、発光部をマトリクス状に配置したドットマトリクス型の有機ＥＬパネル１１を示すものである。有機ＥＬパネル１１は、ガラス基板１２上に積層体１３を形成したものである。積層体１３は、透明電極１４，絶縁層１５，リブ部１８，有機層１６，背面電極１７を順次積層形成したものである。
【０００６】
陽極部１４は、陰極端子部１４ａと、ストライプ状に形成された陽極部１４ｂとを有している。絶縁層１５には、発光部に対応する矩形の開口１５ａが形成されている。リブ部１８は、絶縁層１５上に陽極部１４ｂと直交する方向の平行線状に形成されている。
【０００７】
背面電極１７は、有機層１６よりも広い領域に蒸着等の手段によって形成され、リブ部１８によって周辺部１７ａとストライプ状の陰極部１７ｂとに分断されている（図１２参照）。周辺部１７ａは、陰極としての働きはなく、有機ＥＬパネル１１の発光に寄与しない。有機ＥＬパネル１１は、マトリクス状に配置された各発光部を夫々オン／オフすることにより所望の文字や図形を表示することができる。なお、図面が煩雑になることを防止するため、図９においては周辺部１７ａを図示しない。
【０００８】
【発明が解決しようとする課題】
しかしながら、図１１に示すように、非常に稀ではあるが、絶縁層１５に小径の孔（以下、ピンホール１５ｂと記す）が生じることがあり、このピンホール１５ｂに背面電極１７の材料（例えばアルミニウム）が入り込み、背面電極１７の周辺部１７ａを介して陽極部１４ｂが短絡するという問題があった。陽極部１４ｂが短絡した有機ＥＬパネル１１は、所望の表示が不可能であり不良品となるため、歩留りが低下することになる。
本発明は、この問題に鑑みなされたものであり、第一電極が短絡する虞が少ない有機ＥＬパネルを提供するものである。
【０００９】
【課題を解決するための手段】
本発明は、前記課題を解決するため、請求項１に記載したように、ストライプ状に形成された複数の第一電極２４ｂと絶縁層２５と有機層２６と第二電極２７とを有する積層体２３を基板２２に形成したドットマトリクス型の有機ＥＬパネル２１であって、前記有機層２６が設けられていない領域の少なくとも前記第一電極２４ｂと前記第一電極２４ｂの間に、前記第一電極２４ｂが短絡することを防ぐ絶縁材料からなる短絡防止部２８ｂ，２８ｃを設けたものである。
【００１０】
また、本発明は、請求項２に記載したように、前記短絡防止部２８ｂ，２８ｃは、前記絶縁層２５上に形成されているものである。
【００１１】
また、本発明は、請求項３に記載したように、前記短絡防止部２８ｂは、前記第一電極に平行な方向に形成され前記第二電極２７を分断する線状壁部であるものである。
【００１２】
また、本発明は、請求項４に記載したように、前記第一の電極２４ｂに直交する方向に形成され前記第二電極を分断するリブ部２８ａを有するものである。
【００１３】
また、本発明は、請求項５に記載したように、前記短絡防止部２８ｂ，２８ｃと前記リブ部２８ａは同じ材料からなるものである。
【００１４】
【発明の実施の形態】
以下、本発明の一実施形態を添付の図面に基いて説明する。なお、図面が煩雑になることを防止するため、図１及び図６において、周辺部２７ａは図示しない。
【００１５】
図１乃至図５は第一実施形態を示すものである。有機ＥＬパネル２１は、ガラス基板２２上に積層体２３を形成したものである。積層体２３は、透明電極２４，絶縁層２５，有機層２６，背面電極２７（第二電極），リブ部２８ａ及びリブ部２８ｂ（線状壁部）を有している。
【００１６】
透明電極２４は、酸化インジウム（Ｉｎ２Ｏ３）と酸化スズ（ＳｎＯ２）の混合物であるＩＴＯ（Ｉｎｄｉｕｍ  Ｔｉｎ  Ｏｘｉｄｅ）からなるものであり、スパッタリング或いは蒸着等の手段によって形成されている。透明電極２４は、背面電極２７の陰極部２７ｂに導通される陰極端子部２４ａと、縦方向のストライプ状の陽極部２４ｂ（第一電極）とを有している。絶縁層２５は、ポリイミド系の絶縁材料からなるものであり、フォトリソグラフィー法等の手段によって形成されている。絶縁層２５は、有機層２６よりも広い領域に形成されており、マトリクス状に配置された発光部に対応する矩形の開口２５ａを有している。
【００１７】
有機層２６は、正孔注入層２６ａ，正孔輸送層２６ｂ，発光層２６ｃ及び電子輸送層２６ｄからなるものである（図５参照）。なお、有機層２６は、少なくとも発光層２６ｃがあれば良いが、本実施形態のように正孔注入層２６ａ，正孔輸送層２６ｂ及び電子輸送層２６ｄを設けることにより、発光輝度を向上させることができる。背面電極２７は、アルミニウム（Ａｌ）からなるものであり、周辺部２７ａ及び陰極部２７ｂを有している。陰極部２７ｂは、透明電極２４の陽極部２４ｂに直交する方向、即ち横方法のストライプ状になっている。
【００１８】
リブ部２８ａ，２８ｂは、フェノール系の絶縁材料からなるものであり、フォトリソグラフィー法等の手段によって形成されている。リブ部２８ａ，２８ｂは、絶縁層２５上に形成されており、逆テーパ形状になっている。リブ部２８ａは、陽極部２４ｂと直交する方向に平行線状に設けられており、有機層２６及び背面電極２７をストライプ状に分断する。リブ部２８ｂは、有機層２６が形成されていない領域の絶縁層２５上の、陽極部２４ｂと陽極部２４ｂの間に、両端のリブ部２８ａに連なるように形成されている。
【００１９】
第一実施形態によれば、有機層２６が形成されていない領域において、絶縁層２５にピンホール２５ｂがあっても、背面電極２７の周辺部２７ａが横方向に分断されているため、陽極部２４ｂが周辺部２７ａを介して短絡する虞がない（図３参照）。
【００２０】
図６及び図７は第二実施形態を示すものである。第二実施形態は、第一実施形態に比して第二絶縁層２８ｃだけが異なるので、第一実施形態と同一の個所には同一の符号を付しその説明を省略する。
【００２１】
第二絶縁層２８ｃ（短絡防止部）は、リブ部２８ａと同じ絶縁材料からなるものであり、両端のリブ部２８ａに沿うように、リブ部２８ａよりも幅広に形成されている。図７に示すように、有機層２６が形成されていない領域において、絶縁層２５にピンホール２５ｂがあっても、第二絶縁層２８ｃによって絶縁されているため陽極部２４ｂが背面電極２７の周辺部２７ａと電気的に導通することがなく、陽極部２４ｂが背面電極２７の周辺部２７ａと短絡する虞がない。
【００２２】
第一，第二実施形態によれば、絶縁層２５にピンホール２５ｂがあったとしても、陽極部２４ｂと陽極部２４ｂが背面電極２７の周辺部２７ａを介して短絡する虞が少ないため、有機ＥＬパネルの製造において歩留りが向上する。なお、有機ＥＬパネル２２に積層体１３を覆う封止ガラス等の封止部材を設けても良い。
【００２３】
【発明の効果】
本発明は、ストライプ状に形成された複数の第一電極と絶縁層と有機層と第二電極とを有する積層体を基板に形成したドットマトリクス型の有機ＥＬパネルであって、
前記有機層が設けられていない領域の少なくとも前記第一電極間と前記第一電極の間に、前記第一電極が短絡することを防ぐ絶縁材料からなる短絡防止部を設けたものであり、第一電極が第二電極と短絡する虞が少ない。
【図面の簡単な説明】
【図１】本発明の第一実施形態を示す正面図。
【図２】同上実施形態を示す断面図。
【図３】同上実施形態を示す要部断面図。
【図４】同上実施形態を示す断面図。
【図５】同上実施形態を示す有機層の拡大断面図。
【図６】本発明の第二実施形態を示す正面図。
【図７】同上実施形態を示す要部断面図。
【図８】従来例を示す断面図。
【図９】他の従来例を示す正面図。
【図１０】同上従来例を示す断面図。
【図１１】同上従来例を示す断面図。
【図１２】同上従来例を示す断面図。
【符号の説明】
２１    有機ＥＬパネル
２２    ガラス基板（基板）
２３    積層体
２４ｂ  陽極部（第一電極）
２５    絶縁層
２６    有機層
２７    背面電極（第二電極）
２８ｂ  リブ部（短絡防止部）
２８ｃ  第二絶縁層（短絡防止部）
【図１】
2004152642.tif 000003
【図２】
2004152642.tif 000004
【図３】
2004152642.tif 000005
【図４】
2004152642.tif 000006
【図５】
2004152642.tif 000007
【図６】
2004152642.tif 000008
【図７】
2004152642.tif 000009
【図８】
2004152642.tif 000010
【図９】
2004152642.tif 000011
【図１０】
2004152642.tif 000012
【図１１】
2004152642.tif 000013
【図１２】
2004152642.tif 000014